(57)【要約】【課題】ラベルを台紙から剥がすことが容易であり、台紙に付着したインクが吸収されずに台紙上に留まることを防止或いは抑制できるラベル用紙の製造方法を提案すること。【解決手段】ラベル用紙１の製造方法では、台紙２の表面部分に剥離剤を塗布してラベル３に対応する形状の剥離剤領域５を形成するとともに、ラベル基材１０の裏面部分に粘着剤を塗布してラベル３に対応する形状の粘着剤領域６を形成し、剥離剤領域５と粘着剤領域６とを重ねて台紙２およびラベル基材１０を貼り合わせ、ラベル基材１０の粘着剤領域６をダイカットしてラベル３を形成し、ラベル基材１０におけるラベル３を除いた部分を除去する。【選択図】図３
2015196336.tif 000002
【特許請求の範囲】
【請求項１】
裏面の全体に粘着剤が塗布されたラベルが台紙の表面に剥離可能に貼り付けられたラベル用紙の製造方法において、
前記台紙の表面部分に剥離剤を塗布して前記ラベルに対応する形状の剥離剤領域を形成するとともに、ラベル基材の裏面部分に粘着剤を塗布して前記ラベルに対応する形状の粘着剤領域を形成し、
前記剥離剤領域と前記粘着剤領域とを重ねて前記台紙および前記ラベル基材を貼り合わせ、
前記ラベル基材の前記粘着剤領域をダイカットして前記ラベルを形成し、
前記ラベル基材における前記ラベルを除いた部分を除去することを特徴とするラベル用紙の製造方法。
【請求項２】
請求項１において、
前記剥離剤領域および前記粘着剤領域を、前記ラベルと同一形状に形成し、
前記台紙と前記ラベル基材との積層方向から見た場合に、前記剥離剤領域と前記粘着剤領域とを一致させて前記台紙および前記ラベル基材を貼り合わせ、
前記粘着剤領域の全体をダイカットして前記ラベルを形成することを特徴とするラベル用紙の製造方法。
【請求項３】
請求項１において、
前記ラベルよりも小さい形状の前記剥離剤領域を形成し、
前記粘着剤領域として、前記粘着剤を第１濃度で塗布して外周輪郭が前記ラベルを包含するかまたは当該ラベルと同一であり内周輪郭が前記剥離剤領域よりも小さい枠状の外側粘着剤領域を形成するとともに、前記外側粘着剤領域の内側に前記粘着剤を前記第１濃度よりも高い第２濃度で塗布して内側粘着剤領域を形成し、
前記台紙と前記ラベル基材との積層方向から見た場合に、前記内側粘着剤領域を前記剥離剤領域内に位置させ、前記剥離剤領域を前記粘着剤領域内に位置させて前記台紙および前記ラベル基材を貼り合わせ、
前記ラベル基材の前記外側粘着剤領域をダイカットして前記ラベルを形成することを特徴とするラベル用紙の製造方法。
【請求項４】
請求項１において、
前記ラベルよりも小さい形状の前記剥離剤領域を形成し、
前記粘着剤として、第１粘着剤と当該第１粘着剤よりも粘着力の強い第２粘着剤を用い、前記粘着剤領域として、前記第１粘着剤を塗布して外周輪郭が前記ラベルを包含するかまたは当該ラベルと同一であり内周輪郭が前記剥離剤領域よりも小さい枠状の外側粘着剤領域を形成するとともに、前記外側粘着剤領域の内側に前記第２粘着剤を塗布して内側粘着剤領域を形成し、
前記台紙と前記ラベル基材との積層方向から見た場合に、前記内側粘着剤領域を前記剥離剤領域内に位置させ、前記剥離剤領域を前記粘着剤領域内に位置させて前記台紙および前記ラベル基材を貼り合わせ、
前記ラベル基材の前記外側粘着剤領域をダイカットして前記ラベルを形成することを特徴とするラベル用紙の製造方法。
【請求項５】
請求項４において、
前記第２粘着剤は、再剥離性を有することを特徴とするラベル用紙の製造方法。
【請求項６】
請求項１において、
前記剥離剤領域として、前記剥離剤を第１濃度で塗布して外周輪郭が前記ラベルを包含し内周輪郭が前記ラベルよりも小さい枠状の外側剥離剤領域を形成するとともに、前記外側剥離剤領域の内側に前記剥離剤を前記第１濃度よりも高い第２濃度で塗布して内側剥離剤領域を形成し、
前記ラベル基材の裏面部分に前記ラベルと同一形状の粘着剤領域を形成し、
前記台紙と前記ラベル基材との積層方向から見た場合に、前記粘着剤領域を前記剥離剤領域内に位置させて前記台紙および前記ラベル基材を貼り合わせ、
前記粘着剤領域の全体をダイカットして前記ラベルを形成することを特徴とするラベル用紙の製造方法。
【請求項７】
裏面の全体に粘着剤が塗布されたラベルと、表面に前記ラベルが剥離可能に貼り付けられた台紙とを有するラベル用紙において、
前記台紙は、前記表面に、前記ラベルと同一形状に剥離剤が塗布された剥離剤領域を備え、
前記台紙と前記ラベルとの積層方向から見た場合に、前記ラベルは、前記剥離剤領域に一致した状態で前記台紙に貼り合わされており、
前記台紙の前記表面の前記ラベルが貼り付けられていない部分は露出していることを特徴とするラベル用紙。
【請求項８】
裏面の全体に粘着剤が塗布されたラベルと、表面に前記ラベルが剥離可能に貼り付けられた台紙とを有するラベル用紙において、
前記台紙は、前記表面に、前記ラベルよりも小さい形状に剥離剤が塗布された剥離剤領域を備え、
前記ラベルは、前記裏面に、外周縁に沿った枠状に前記粘着剤が第１濃度で塗布された外側粘着剤領域と、前記外側粘着剤領域の内側に前記粘着剤が前記第１濃度よりも高い第２濃度で塗布された内側粘着剤領域とを備え、
前記外側粘着剤領域の内周輪郭は前記剥離剤領域よりも小さく、
前記台紙と前記ラベルとの積層方向から見た場合に、前記剥離剤領域は、前記ラベル内に位置し、前記内側粘着剤領域は前記剥離剤領域内に位置し、
前記台紙の前記表面の前記ラベルが貼り付けられていない部分は露出していることを特徴とするラベル用紙。
【請求項９】
裏面の全体に粘着剤が塗布されたラベルと、表面に前記ラベルが剥離可能に貼り付けられた台紙とを有するラベル用紙において、
前記台紙は、前記表面に、前記ラベルよりも小さい形状に剥離剤が塗布された剥離剤領域を備え、
前記粘着剤として、第１粘着剤と当該第１粘着剤よりも粘着力の強い第２粘着剤とを備え、
前記ラベルは、前記裏面に、外周縁に沿った枠状に前記第１粘着剤が塗布された外側粘着剤領域と、前記外側粘着剤領域の内側に前記第２粘着剤が塗布された内側粘着剤領域とを備え、
前記外側粘着剤領域の内周輪郭は前記剥離剤領域よりも小さく、
前記台紙と前記ラベルとの積層方向から見た場合に、前記剥離剤領域は、前記ラベル内に位置し、前記内側粘着剤領域は前記剥離剤領域内に位置し、
前記台紙の前記表面の前記ラベルが貼り付けられていない部分は露出していることを特徴とするラベル用紙。
【請求項１０】
請求項９において、
前記第２粘着剤は、再剥離性を有することを特徴とするラベル用紙。
【請求項１１】
裏面の全体に粘着剤が塗布されたラベルと、表面に前記ラベルが剥離可能に貼り付けられた台紙とを有するラベル用紙において、
前記台紙は、前記表面に、前記ラベルよりも大きい形状に剥離剤が塗布された剥離剤領域を備え、
前記剥離剤領域は、前記剥離剤が第１濃度で塗布された枠状の外側剥離剤領域と、前記外側剥離剤領域の内側に前記剥離剤が第１濃度よりも高い濃度で塗布された内側剥離剤領域とを備え、
前記外側剥離剤領域は、外周輪郭が前記ラベルの外側に位置し、内周輪郭が前記ラベルの内側に位置しており、
前記台紙の前記表面の前記ラベルが貼り付けられていない部分は露出していることを特徴とするラベル用紙。
【発明の詳細な説明】
【技術分野】
【０００１】
本発明は、台紙に付着したインクが吸収されずに台紙上に留まることを防止或いは抑制できるラベル用紙に関する。
【背景技術】
【０００２】
ラベル用紙を製造する際には、まず、表面の全体に剥離剤が塗布された長尺状の台紙と、裏面の全体に粘着剤が塗布された上質紙などの長尺状のラベル基材を重ねて貼り合せたラベル原反を製造する。しかる後に、ラベル基材を打ち抜き刃によりラベル形状にダイカットしてラベル用紙とする。このようなラベル用紙の製造方法は、特許文献１に記載されている。
【先行技術文献】
【特許文献】
【０００３】
【特許文献１】特開２００９−１７８８２５号公報
【発明の概要】
【発明が解決しようとする課題】
【０００４】
打ち抜き刃によってダイカットしたラベル（ダイカットラベル）を備えるラベル用紙の中には、ラベル基材をダイカットした後に、ラベル原反からラベル基材のラベルを除く部分を取り除く「カストリ」が行われたものがある。カストリが行われると、ラベルを台紙から剥がすことが容易となる。従って、ラベル用紙からラベルを剥がし、剥がしたラベルを対象に貼りつける作業をラベラー等の機械を用いて行うことが可能となる。
【０００５】
カストリが行なわれたラベル用紙では、ラベルの周囲に剥離剤が塗布された台紙部分が露出している。ここで、剥離剤は、シリコンやアクリル樹脂などを剥離成分として含むので、ラベル基材と比較して、吸水性が低い。従って、カストリが行われたラベル用紙のラベルに対して、縁のない全面印刷（縁なし印刷）を行うと、ラベルからはみ出したインクは台紙に付着したまま吸収されない状態で台紙上に留まる。台紙上に留まるインクは、印刷装置の内部やラベルを汚す可能性がある。
【０００６】
本発明の課題は、かかる問題点に鑑みて、ラベルを台紙から剥がすことが容易であり、かつ、台紙に付着したインクが吸収されずに台紙上に留まることを防止或いは抑制できるラベル用紙の製造方法およびラベル用紙を提供することにある。
【課題を解決するための手段】
【０００７】
上記の課題を解決するために、本発明は、裏面の全体に粘着剤が塗布されたラベルが台紙の表面に剥離可能に貼り付けられたラベル用紙の製造方法において、前記台紙の表面部分に剥離剤を塗布して前記ラベルに対応する形状の剥離剤領域を形成するとともに、ラベル基材の裏面部分に粘着剤を塗布して前記ラベルに対応する形状の粘着剤領域を形成し、前記剥離剤領域と前記粘着剤領域とを重ねて前記台紙および前記ラベル基材を貼り合わせ、前記ラベル基材の前記粘着剤領域をダイカットして前記ラベルを形成し、前記ラベル基材における前記ラベルを除いた部分を除去することを特徴とする。
【０００８】
本発明によれば、台紙に部分的に形成した剥離剤領域とラベル基材に部分的に形成した粘着剤領域とを重ねて台紙とラベル基材を貼り合わせた後に、粘着剤領域をダイカットしてラベルを形成している。従って、ラベル基材におけるラベルを除いた部分を除去したときに（カストリが行われたときに）ラベルの周囲に現われる台紙部分を、剥離剤が塗布されていない状態とすることができる。よって、かかる製造方法により製造されたラベル用紙のラベルに印刷が施された場合に、台紙に付着したインクが吸収されずに台紙上に留まることを防止或いは抑制できる。また、かかる製造方法により製造されたラベル用紙では、ラベル基材におけるラベルを除いた部分が除去されているので、ラベルを台紙から剥がし易い。
【０００９】
本発明において、ラベル基材におけるラベルを除いた部分を除去したときにラベルの周囲に現われる台紙部分を剥離剤が塗布されていない状態とするためには、前記剥離剤領域および前記粘着剤領域を、前記ラベルと同一形状に形成し、前記台紙と前記ラベル基材との積層方向から見た場合に、前記剥離剤領域と前記粘着剤領域とを一致させて前記台紙および前記ラベル基材を貼り合わせ、前記粘着剤領域の全体をダイカットして前記ラベルを形成することが望ましい。
【００１０】
本発明において、前記ラベルよりも小さい形状の前記剥離剤領域を形成し、前記粘着剤領域として、前記粘着剤を第１濃度で塗布して外周輪郭が前記ラベルを包含するかまたは当該ラベルと同一であり内周輪郭が前記剥離剤領域よりも小さい枠状の外側粘着剤領域を形成するとともに、前記外側粘着剤領域の内側に前記粘着剤を前記第１濃度よりも高い第２濃度で塗布して内側粘着剤領域を形成し、前記台紙と前記ラベル基材との積層方向から見た場合に、前記内側粘着剤領域を前記剥離剤領域内に位置させ、前記剥離剤領域を前記粘着剤領域内に位置させて前記台紙および前記ラベル基材を貼り合わせ、前記ラベル基材の前記外側粘着剤領域をダイカットして前記ラベルを形成するものとすることができる。このようにすれば、ラベル基材の内側粘着剤領域を、当該内側粘着剤領域よりも大きい台紙の剥離剤領域内に位置させるようにし、剥離剤領域を当該剥離剤領域よりも大きいラベル基材の粘着剤領域内に位置させて台紙とラベル基材を貼り合わせればよいので、粘着剤領域と剥離剤領域を一致させて台紙とラベル基材を貼り合わせる場合と比較して、これらの貼り合わせが容易となる。また、かかる製造方法により製造されるラベル用紙では、ラベルの裏面の外周縁部分が剥離剤を介さずに直接台紙に貼り合わされる状態となるが、ラベルの裏面の外周縁部分に塗布されている粘着剤は、濃度が低く、剥がれ易いものなので、この場合でもラベルを台紙から剥がすことが容易である。
【００１１】
本発明において、前記ラベルよりも小さい形状の前記剥離剤領域を形成し、前記粘着剤として、第１粘着剤と当該第１粘着剤よりも粘着力の強い第２粘着剤を用い、前記粘着剤領域として、前記第１粘着剤を塗布して外周輪郭が前記ラベルを包含するかまたは当該ラベルと同一であり内周輪郭が前記剥離剤領域よりも小さい枠状の外側粘着剤領域を形成するとともに、前記外側粘着剤領域の内側に前記第２粘着剤を塗布して内側粘着剤領域を形成し、前記台紙と前記ラベル基材との積層方向から見た場合に、前記内側粘着剤領域を前記剥離剤領域内に位置させ、前記剥離剤領域を前記粘着剤領域内に位置させて前記台紙および前記ラベル基材を貼り合わせ、前記ラベル基材の前記外側粘着剤領域をダイカットして前記ラベルを形成するものとすることができる。このようにすれば、ラベル基材の内側粘着剤領域を、当該内側粘着剤領域よりも大きい台紙の剥離剤領域内に位置させて、剥離剤領域を当該剥離剤領域よりも大きいラベル基材の粘着剤領域内に位置させるようにして台紙とラベル基材を貼り合わせればよいので、粘着剤領域と剥離剤領域を一致させて台紙とラベル基材を貼り合わせる場合と比較して、これらの貼り合わせが容易となる。また、かかる製造方法により製造されるラベル用紙では、ラベルの裏面の外周縁部分が、剥離剤を介さず、直接台紙に貼り合わされる状態となるが、ラベルの裏面の外周縁部分に塗布されている第２粘着剤は、粘着力が弱く、剥がれ易いものなので、この場合でもラベルを台紙から剥がすことが容易である。
【００１２】
この場合において、前記第２粘着剤は、再剥離性を有するものとすれば、製造されたラベル用紙において、ラベルを台紙から剥がすことが更に容易となる。
【００１３】
本発明において、前記剥離剤領域として、前記剥離剤を第１濃度で塗布して外周輪郭が前記ラベルを包含し内周輪郭が前記ラベルよりも小さい枠状の外側剥離剤領域を形成するとともに、前記外側剥離剤領域の内側に前記剥離剤を前記第１濃度よりも高い第２濃度で塗布して内側剥離剤領域を形成し、前記ラベル基材の裏面部分に前記ラベルと同一形状の粘着剤領域を形成し、前記台紙と前記ラベル基材との積層方向から見た場合に、前記粘着剤領域を前記剥離剤領域内に位置させて前記台紙および前記ラベル基材を貼り合わせ、前記粘着剤領域の全体をダイカットして前記ラベルを形成するものとすることができる。このようにすれば、ラベル基材の粘着剤領域を、当該粘着剤領域よりも大きい台紙の剥離剤領域内に位置させるようにして台紙とラベル基材を貼り合わせればよいので、粘着剤領域と剥離剤領域を一致させて台紙とラベル基材を貼り合わせる場合と比較して、これらの貼り合わせが容易となる。また、かかる製造方法により製造されるラベル用紙では、ラベルの外周側における台紙の露出部分に剥離剤がはみ出した状態となるが、はみ出した剥離剤は、その濃度が低いので、その部分にインクが付着した場合でも台紙がインクを吸収可能となる。従って、台紙に付着したインクが吸収されずに台紙上に留まることを抑制できる。
【００１４】
次に、本発明は、裏面の全体に粘着剤が塗布されたラベルと、表面に前記ラベルが剥離可能に貼り付けられた台紙とを有するラベル用紙において、前記台紙は、前記表面に、前記ラベルと同一形状に剥離剤が塗布された剥離剤領域を備え、前記台紙と前記ラベルとの積層方向から見た場合に、前記ラベルは、前記剥離剤領域に一致した状態で前記台紙に貼り合わされており、前記台紙の前記表面の前記ラベルが貼り付けられていない部分は露出していることを特徴とする。
【００１５】
本発明によれば、台紙の表面のラベルが貼り合わされていない部分は露出しているので、ラベルを台紙から剥がし易い。また、台紙に形成された剥離剤領域とラベルが一致した状態でラベルが台紙に貼りあわされているので、ラベルの周囲に剥離剤領域が現れていない。従って、ラベルに印刷が施された場合に、台紙に付着したインクが吸収されずに台紙上に留まることを防止或いは抑制できる。
【００１６】
本発明の別の形態は、裏面の全体に粘着剤が塗布されたラベルと、表面に前記ラベルが剥離可能に貼り付けられた台紙とを有するラベル用紙において、前記台紙は、前記表面に、前記ラベルよりも小さい形状に剥離剤が塗布された剥離剤領域を備え、前記ラベルは、前記裏面に、外周縁に沿った枠状に前記粘着剤が第１濃度で塗布された外側粘着剤領域と、前記外側粘着剤領域の内側に前記粘着剤が前記第１濃度よりも高い第２濃度で塗布された内側粘着剤領域とを備え、前記外側粘着剤領域の内周輪郭は前記剥離剤領域よりも小さく、前記台紙と前記ラベルとの積層方向から見た場合に、前記剥離剤領域は、前記ラベル内に位置し、前記内側粘着剤領域は前記剥離剤領域内に位置し、前記台紙の前記表面の前記ラベルが貼り付けられていない部分は露出していることを特徴とする。
【００１７】
本発明によれば、台紙の表面のラベルが貼り合わされていない部分は露出しているので、ラベルを台紙から剥がし易い。また、台紙に形成された剥離剤領域は、台紙とラベル基材との積層方向から見た場合に、ラベルの内側に位置する。従って、剥離剤領域はラベルによって覆われており、ラベルの周囲に剥離剤領域が現れていない。よって、ラベルに印刷が施された場合に、台紙に付着したインクが吸収されずに台紙上に留まることを防止或いは抑制できる。ここで、本発明のラベル用紙では、ラベルの裏面の外周縁部分が、剥離剤を介さずに、直接台紙に貼り合わされる状態となる。しかし、ラベルの外周縁部分に塗布されている粘着剤は、濃度が低く、剥がれ易いものなので、この場合でもラベルを台紙から剥がすことが容易である。
【００１８】
また、本発明の別の形態は、裏面の全体に粘着剤が塗布されたラベルと、表面に前記ラベルが剥離可能に貼り付けられた台紙とを有するラベル用紙において、前記台紙は、前記表面に、前記ラベルよりも小さい形状に剥離剤が塗布された剥離剤領域を備え、前記粘着剤として、第１粘着剤と当該第１粘着剤よりも粘着力の強い第２粘着剤とを備え、前記ラベルは、前記裏面に、外周縁に沿った枠状に前記第１粘着剤が塗布された外側粘着剤領域と、前記外側粘着剤領域の内側に前記第２粘着剤が塗布された内側粘着剤領域とを備え、前記外側粘着剤領域の内周輪郭は前記剥離剤領域よりも小さく、前記台紙と前記ラベルとの積層方向から見た場合に、前記剥離剤領域は、前記ラベル内に位置し、前記内側粘着剤領域は前記剥離剤領域内に位置し、前記台紙の前記表面の前記ラベルが貼り付けられていない部分は露出していることを特徴とする。
【００１９】
本発明によれば、台紙の表面のラベルが貼り合わされていない部分は露出しているので、ラベルを台紙から剥がし易い。また、台紙に形成された剥離剤領域は、前記台紙とラベル基材との積層方向から見た場合にラベルの内側に位置する。従って、剥離剤領域はラベルによって覆われており、ラベルの周囲に剥離剤領域が現れていない。ラベルに印刷が施された場合に、台紙に付着したインクが吸収されずに台紙上に留まることを防止或いは抑制できる。ここで、本発明のラベル用紙では、ラベルの裏面の外周縁部分が、剥離剤を介さずに、直接台紙に貼り合わされる状態となる。しかし、ラベルの外周縁部分に塗布されている第１粘着剤は、粘着力が弱く、剥がれ易いものなので、この場合でもラベルを台紙から剥がすことが容易である。
【００２０】
この場合において、前記第２粘着剤を再剥離性を有するものとすれば、ラベルを台紙から剥がし易い。
【００２１】
次に、本発明の別の形態は、裏面の全体に粘着剤が塗布されたラベルと、表面に前記ラベルが剥離可能に貼り付けられた台紙とを有するラベル用紙において、前記台紙は、前記表面に、前記ラベルよりも大きい形状に剥離剤が塗布された剥離剤領域を備え、前記剥離剤領域は、前記剥離剤が第１濃度で塗布された枠状の外側剥離剤領域と、前記外側剥離剤領域の内側に前記剥離剤が第１濃度よりも高い濃度で塗布された内側剥離剤領域とを備え、前記外側剥離剤領域は、外周輪郭が前記ラベルの外側に位置し、内周輪郭が前記ラベルの内側に位置しており、前記台紙の前記表面の前記ラベルが貼り付けられていない部分は露出していることを特徴とする。
【００２２】
本発明のラベル用紙では、ラベルの外周側における台紙の露出部分に剥離剤がはみ出した状態となる。しかし、台紙の露出部分にはみ出した剥離剤は、その濃度が低いので、剥離剤の部分にインクが付着した場合でも、台紙はインクを吸収可能である。従って、台紙に付着したインクが吸収されずに台紙上に留まることを抑制できる。また、台紙の表面のラベルが貼り合わされていない部分は露出しているので、ラベルを台紙から剥がし易い。
【発明の効果】
【００２３】
本発明によれば、ラベルを台紙から剥がすことが容易であり、かつ、ラベルに印刷が施された場合に、台紙に付着したインクが吸収されずに台紙上に留まることを防止或いは抑制できる。
【図面の簡単な説明】
【００２４】
【図１】本発明を適用した実施例１のラベル用紙の斜視図である。
【図２】実施例１のラベル用紙の部分平面図および説明図である。
【図３】実施例１のラベル用紙の製造方法の説明図である。
【図４】実施例２のラベル用紙の部分平面図および説明図である。
【図５】実施例２のラベル用紙の製造方法の説明図である。
【図６】実施例３のラベル用紙の部分平面図および説明図である。
【図７】実施例３のラベル用紙の製造方法の説明図である。
【図８】実施例４のラベル用紙の部分平面図および説明図である。
【図９】実施例４のラベル用紙の製造方法の説明図である。
【発明を実施するための形態】
【００２５】
以下に、図面を参照して、本発明を適用したラベル用紙およびラベル用紙の製造方法を説明する。
【００２６】
図１はラベル用紙の斜視図である。図１に示すように、ラベル用紙１は、長尺状の台紙２と、台紙２の表面に長尺方向に沿って一定間隔で剥離可能に貼り合わされたラベル３を備える。ラベル用紙１は、ロール状に巻かれており、その端部分が引き出された状態とされて、インクジェットプリンターなどの印刷装置にセットされる。印刷装置により各ラベル３に印刷が施されると、印刷済みのラベル用紙１は再びロール状に巻かれた状態とされる。その後、ロール状のラベル用紙１は、その端部分が引き出された状態とされてラベラーにセットされる。ラベラーは、ラベル用紙１からラベル３を剥がし、剥がしたラベル３を対象物に貼りつける。
【００２７】
（実施例１）
図２（ａ）は実施例１のラベル用紙１のラベル３を含む部分の平面図であり、図２（ｂ）は実施例１のラベル用紙１の断面を模式的に示した説明図である。図１に示すように、本例のラベル用紙１では、台紙２は、その表面２ａに、ラベル３と同一形状に剥離剤が塗布された剥離剤領域５を備える。ラベル３は、剥離剤領域５上に当該剥離剤領域５と一致した状態で台紙２に貼り合わされている。ラベル３の裏面３ａは、その全面が、粘着剤が塗布された粘着剤領域６である。台紙２の表面２ａのラベル３が貼り合わされていない部分は露出する露出部分７となっている。露出部分７には剥離剤は塗布されていない。
【００２８】
（ラベル用紙の製造方法）
図３は図２のラベル用紙１の製造方法の説明図である。ラベル用紙１を製造する際には、一定幅で延びる長尺状の台紙２と、台紙２と同一の幅寸法を備える長尺状のラベル基材１０を用いる。台紙２は、例えば、吸水性のある紙である。ラベル基材は、例えば、上質紙などの紙基材や、インクの定着性があるシート状の合成樹脂基材である。
【００２９】
ラベル用紙１の製造方法は、粘着剤・剥離剤領域形成工程、貼り合わせ工程、ダイカット工程、カストリ工程を備える。粘着剤・剥離剤領域形成工程では、台紙２の表面部分に剥離剤を塗布してラベル３に対応する形状の剥離剤領域５を形成するとともに、ラベル基材１０の裏面部分に粘着剤を塗布してラベル３に対応する形状の粘着剤領域６を形成する。貼り合わせ工程では、台紙２の剥離剤領域５とラベル基材１０の粘着剤領域６とを重ねて台紙２およびラベル基材１０を貼り合わせる。ダイカット工程では、ラベル基材１０の粘着剤領域６を打ち抜き刃１１によりダイカットしてラベル３を形成する。カストリ工程では、ラベル基材１０におけるラベル３を除いた部分を除去する。
【００３０】
より、具体的に、粘着剤・剥離剤領域形成工程では、図３（ａ）に示すように、台紙２の表面部分に、ラベル３と同一形状の剥離剤領域５を形状する。剥離剤領域５は、完成品のラベル用紙１のラベル３と同様に、台紙２の長尺方向に沿って一定間隔に形成される。剥離剤は、例えば、シリコンやアクリル樹脂、フッ素などを剥離成分として含むものである。剥離剤領域５の形成は、ラベル３と同一形状の転写面を備える凸版を用い、転写面に剥離剤を塗布し、凸版から台紙２に剥離剤を転写することにより行われる。
【００３１】
また、粘着剤・剥離剤領域形成工程では、ラベル基材１０の裏面部分に、ラベル３と同一形状の粘着剤領域６を形成する。粘着剤領域６は、完成品のラベル用紙１のラベル３と同様に、ラベル基材１０の長尺方向に沿って一定間隔に形成される。粘着剤は、例えば、天然ゴム、合成ゴム、アクリル樹脂、ポリビニールエーテル樹脂、ウレタン樹脂、シリコン樹脂などを粘着成分として含むものである。粘着剤領域６の形成は、ラベル３と同一形状の転写面を備える凸版を用い、転写面に粘着剤を塗布し、凸版から台紙２に粘着剤を転写することにより行われる。
【００３２】
貼り合わせ工程では、図３（ｂ）に示すように、台紙２とラベル基材１０の積層方向から見た場合に、剥離剤領域５と粘着剤領域６を一致させて台紙２およびラベル基材１０を貼り合わせる。
【００３３】
ダイカット工程では、図３（ｃ）に示すように、ラベル基材１０の粘着剤領域６の全体をダイカットしてラベル３を形成する。すなわち、粘着剤領域６の輪郭にラベル３形状の打ち抜き刃１１を一致させて、ラベル基材１０をダイカットする。
【００３４】
カストリ工程では、ラベル基材１０のラベル３を除く部分１０ａを除去して、各ラベル３の外周側に台紙部分を露出させ、露出部分７を形成する。
【００３５】
（作用効果）
本例のラベル用紙１によれば、台紙２の表面２ａのラベル３が貼り合わされていない部分は露出部分７となっている。従って、ラベル３を台紙２から剥がし易く、ラベラーなどにおいてラベル３を容易に剥がすことができる。また、ラベル３に形成された粘着剤領域６と台紙２に形成された剥離剤領域５が一致した状態でラベル３が台紙２に貼りあわされているので、ラベル３の周囲に剥離剤領域５が現れていない。従って、ラベル３に印刷が施された場合に、台紙２に付着したインクが吸収されずに台紙２上に留まることを防止或いは抑制できる。
【００３６】
また、本例のラベル用紙１の製造方法によれば、貼り合わせ工程において、台紙２にラベル３と同一形状の剥離剤領域５を形成し、ラベル基材１０にラベル３と同一形状の粘着剤領域６を形成し、これら台紙２とラベル基材１０を貼り合わせた後に、粘着剤領域６をダイカットしてラベル３を形成している。従って、ラベル基材１０におけるラベル３を除いた部分を除去したときにラベル３の周囲に現われる台紙２部分を、剥離剤が塗布されていない状態となる。
【００３７】
（実施例２）
図４（ａ）は実施例２のラベル用紙のラベル３を含む部分の平面図であり、図４（ｂ）は実施例２のラベル用紙の断面を模式的に示した説明図である。本例のラベル用紙１Ａは実施例１のラベル用紙１と対応する構成を備えるので、対応する構成には同一の符号を付して説明する。
【００３８】
図４に示すように、本例のラベル用紙１Ａでは、台紙２は、その表面２ａに、ラベル３よりも小さい形状に剥離剤が塗布された剥離剤領域５を備える。剥離剤領域５はラベル３と相似形状である。ラベル３は、裏面３ａに、外周縁に沿った枠状に粘着剤が第１濃度で塗布された外側粘着剤領域２１と、外側粘着剤領域２１の内側に粘着剤が第１濃度よりも高い第２濃度で塗布された内側粘着剤領域２２を備える。外側粘着剤領域２１と内側粘着剤領域２２は粘着剤領域６を形成しており、粘着剤領域６はラベルの裏面３ａの全体に設けられている。外側粘着剤領域２１の内周輪郭２１ａは剥離剤領域５よりも小さい。従って、内側粘着剤領域２２は剥離剤領域５よりも小さく形成されている。内側粘着剤領域２２はラベル３と相似形状である。
【００３９】
台紙２とラベル基材１０の積層方向から見た場合に、図４（ａ）に示すように、剥離剤領域５はラベル３内に位置し、内側粘着剤領域２２は剥離剤領域５内に位置する。従って、剥離剤領域５はラベル３によって覆われている。台紙２の表面２ａのラベル３が貼り合わされていない部分は露出する露出部分７となっている。露出部分７には剥離剤は塗布されていない。
【００４０】
（ラベル用紙の製造方法）
図５は図４のラベル用紙１Ａの製造方法の説明図である。ラベル用紙１Ａを製造する際には、一定幅で延びる長尺状の台紙２と、台紙２と同一の幅寸法を備える長尺状のラベル基材１０を用いる。ラベル用紙１Ａの製造方法は、実施例２のラベル用紙１Ａの製造方法と同様に、粘着剤・剥離剤領域形成工程、貼り合わせ工程、ダイカット工程、カストリ工程を備える。
【００４１】
粘着剤・剥離剤領域形成工程では、図５（ａ）に示すように、台紙２の表面部分に、ラベル３と相似形状でラベル３よりも小さい剥離剤領域５を形成する。剥離剤領域５は、ラベル３の間隔に対応する間隔で、台紙２の長尺方向に沿って一定間隔に形成される。剥離剤領域５の形成は、ラベル３と相似形状でラベル３よりも小さい転写面を備える凸版を用い、転写面に剥離剤を塗布し、凸版から台紙２に剥離剤を転写することにより行われる。
【００４２】
また、粘着剤・剥離剤領域形成工程では、ラベル基材１０の裏面部分に、粘着剤領域６として、粘着剤を第１濃度で塗布して、枠状の外側粘着剤領域２１を形成するとともに、外側粘着剤領域２１の内側に粘着剤を第１濃度よりも高い第２濃度で塗布して内側粘着剤領域２２を形成する。外側粘着剤領域２１は、その外周輪郭２１ｂがラベル３を包含し、内周輪郭２１ａが台紙２の剥離剤領域５よりも小さい。従って、内側粘着剤領域２２は台紙２の剥離剤領域５よりも小さい。内側粘着剤領域２２は台紙２の剥離剤領域５およびラベル３と相似形状である。なお、外側粘着剤領域２１は、その外周輪郭２１ｂをラベル３と同一形状とすることもできる。
【００４３】
ここで、粘着剤領域６の形成は、形成する粘着剤領域６と同一形状の転写面を備える凸版を用いて行うことができる。この場合には、転写面の外周縁部分に第１濃度の粘着剤を枠状に塗布し、その内周側に第２濃度の粘着剤を塗布し、凸版から台紙２に粘着剤を転写する。また、粘着剤領域６の形成は、外側粘着剤領域２１の外周輪郭２１ｂと同一の輪郭形状の転写面を備えるとともに、当該転写面に凹凸を設けた第１の凸版と、内側粘着剤領域２２と同一形状の転写面を備える第２の凸版を用いて行うことができる。この場合には、まず、第１の凸版の転写面に粘着剤を塗布し、第１の凸版から台紙２に粘着剤を点で転写して外側粘着剤領域２１の外周輪郭２１ｂを備える粘着剤領域６を形成する。次に、第２の凸版の転写面に同一の粘着剤を塗布し、第２の凸版から台紙２に粘着剤を面で転写して内側粘着剤領域２２を形成する。これにより、内側粘着剤領域２２の外周側に当該内側粘着剤領域２２を包囲する状態に外側粘着剤領域２１が形成されるとともに、外側粘着剤領域２１における粘着剤の濃度（第１濃度）は、内側粘着剤領域２２における粘着剤の濃度（第２濃度）よりも低いものとなる。
【００４４】
貼り合わせ工程では、図５（ｂ）に示すように、台紙２とラベル基材１０の積層方向から見た場合に、ラベル基材１０の内側粘着剤領域２２が台紙２の剥離剤領域５内に位置し、台紙２の剥離剤領域５がラベル基材１０の外側粘着剤領域２１の外周輪郭２１ｂ内に位置するようにして台紙２およびラベル基材１０を貼り合わせる。
【００４５】
ダイカット工程では、図５（ｃ）に示すように、ラベル基材１０の外側粘着剤領域２１をダイカットしてラベル３を形成する。すなわち、外側粘着剤領域２１内にラベル３形状の打ち抜き刃１１を当ててラベル基材１０をダイカットする。
【００４６】
カストリ工程では、図５（ｄ）に示すように、ラベル基材１０のラベル３を除く部分１０ａを除去して、各ラベル３の外周側に台紙２部分を露出させる。
【００４７】
（作用効果）
本例のラベル用紙１Ａによれば、台紙２の表面２ａのラベル３が貼り合わされていない部分は露出部分７となっている。従って、ラベル３を台紙２から剥がし易く、ラベラーなどにおいてラベル３を容易に剥がすことができる。また、台紙２に形成された剥離剤領域５は、台紙２とラベル基材１０の積層方向から見た場合に、ラベル３の内側に位置する。従って、剥離剤領域５はラベル３によって覆われており、ラベル３の周囲に剥離剤領域５が現れていない。よって、ラベル３に印刷が施された場合に、台紙２に付着したインクが吸収されずに台紙２上に留まることを防止或いは抑制できる。
【００４８】
ここで、ラベル用紙１Ａでは、ラベル３の裏面３ａの外周縁部分が、剥離剤を介さずに、直接台紙２に貼り合わされる状態となる。しかし、ラベル３の外周縁部分に塗布されている粘着剤は、濃度が低く、剥がれ易いものなので、この場合でもラベル３を台紙２から剥がすことが容易である。
【００４９】
また、本例のラベル用紙１Ａの製造方法によれば、図５（ｂ）に示す貼り合わせ工程において、ラベル基材１０の内側粘着剤領域２２を、当該内側粘着剤領域２２よりも大きい台紙２の剥離剤領域５内に位置させ、台紙２の剥離剤領域５を、当該薄利剤領域よりも大きいラベル基材１０の外側粘着剤領域２１の外周輪郭２１ｂ内に位置するようにして台紙２とラベル基材１０を貼り合わせればよいので、粘着剤領域６と剥離剤領域５を一致させて台紙２とラベル基材１０を貼り合わせる場合と比較して、これらの貼り合わせが容易となる。
【００５０】
また、図５（ｃ）に示すダイカット工程において、打ち抜き刃１１を外側粘着剤領域２１内に当ててラベル基材１０をダイカットすればよいので、粘着剤領域６の輪郭にラベル３形状の打ち抜き刃１１を一致させてラベル基材１０をダイカットする場合と比較して、ダイカットが容易となる。
【００５１】
（実施例３）
図６（ａ）は実施例３のラベル用紙のラベル３を含む部分の平面図であり、図６（ｂ）は実施例３のラベル用紙の断面を模式的に示した説明図である。本例のラベル用紙１Ｂは実施例１のラベル用紙１と対応する構成を備えるので、対応する構成には同一の符号を付して説明する。
【００５２】
図６に示すように、本例のラベル用紙１Ｂでは、台紙２は、その表面２ａに、ラベル３よりも小さい形状に剥離剤が塗布された剥離剤領域５を備える。剥離剤領域５はラベル３と相似形状である。ラベル３は、裏面３ａに、外周縁に沿った枠状に第１粘着剤が塗布された外側粘着剤領域２５と、外側粘着剤領域２５の内側に第２粘着剤が塗布された内側粘着剤領域２６を備える。第１粘着剤の粘着力は第２粘着剤の粘着力よりも弱い。外側粘着剤領域２５と内側粘着剤領域２６は粘着剤領域６を形成しており、粘着剤領域６はラベルの裏面３ａの全体に設けられている。外側粘着剤領域２５の内周輪郭２５ａは剥離剤領域５よりも小さい。従って、内側粘着剤領域２６は剥離剤領域５よりも小さく形成されている。内側粘着剤領域２６はラベル３と相似形状である。
【００５３】
台紙２とラベル基材１０の積層方向から見た場合に、図６（ａ）に示すように、剥離剤領域５はラベル３内に位置し、内側粘着剤領域２６は剥離剤領域５内に位置する。従って、剥離剤領域５はラベル３によって覆われている。台紙２の表面２ａのラベル３が貼り合わされていない部分は露出する露出部分７となっている。露出部分７には剥離剤は塗布されていない。
【００５４】
（ラベル用紙の製造方法）
図７は図６のラベル用紙１Ｂの製造方法の説明図である。ラベル用紙１Ｂを製造する際には、一定幅で延びる長尺状の台紙２と、台紙２と同一の幅寸法を備える長尺状のラベル基材１０を用いる。ラベル用紙１Ｂの製造方法は、実施例１のラベル用紙１の製造方法と同様に、粘着剤・剥離剤領域形成工程、貼り合わせ工程、ダイカット工程、カストリ工程を備える。
【００５５】
粘着剤・剥離剤領域形成工程では、図７（ａ）に示すように、台紙２の表面部分に、ラベル３と相似形状でラベル３よりも小さい剥離剤領域５を形成する。剥離剤領域５は、ラベル３の間隔に対応する間隔で、台紙２の長尺方向に沿って一定間隔に形成される。剥離剤領域５の形成は、ラベル３と相似形状でラベル３よりも小さい転写面を備える凸版を用い、転写面に剥離剤を塗布し、凸版から台紙２に剥離剤を転写することにより行われる。
【００５６】
また、粘着剤・剥離剤領域形成工程では、ラベル基材１０の裏面部分に、粘着剤領域６として、第１粘着剤を塗布して、枠状の外側粘着剤領域２５を形成するとともに、外側粘着剤領域２５の内側に第２粘着剤を塗布して内側粘着剤領域２６を形成する。外側粘着剤領域２５は、その外周輪郭２５ｂがラベル３を包含し、内周輪郭２５ａが台紙２の剥離剤領域５よりも小さい。従って、内側粘着剤領域２６は台紙２の剥離剤領域５よりも小さい。内側粘着剤領域２６は台紙２の剥離剤領域５およびラベル３と相似形状である。なお、外側粘着剤領域２５は、その外周輪郭２５ｂをラベル３と同一形状としてもよい。
【００５７】
ここで、粘着剤領域６の形成は、形成する粘着剤領域６と同一形状の転写面を備える凸版を用いて行うことができる。この場合には、凸版の外周縁部分に第１粘着剤を枠状に塗布し、その内周側に第２粘着剤を塗布し、凸版から台紙２に各粘着剤を転写する。
【００５８】
貼り合わせ工程では、図７（ｂ）に示すように、台紙２とラベル基材１０の積層方向から見た場合に、ラベル基材１０の内側粘着剤領域２６が台紙２の剥離剤領域５内に位置し、台紙２の剥離剤領域５がラベル基材１０の外側粘着剤領域２５の外周輪郭２５ｂ内に位置するようにして台紙２およびラベル基材１０を貼り合わせる。
【００５９】
ダイカット工程では、図７（ｃ）に示すように、ラベル基材１０の外側粘着剤領域２５をダイカットしてラベル３を形成する。すなわち、外側粘着剤領域２５内にラベル３形状の打ち抜き刃１１を当ててラベル基材１０をダイカットする。
【００６０】
カストリ工程では、図７（ｄ）に示すように、ラベル基材１０のラベル３を除く部分１０ａを除去して、各ラベル３の外周側に台紙２部分を露出させる。
【００６１】
（作用効果）
本例のラベル用紙１Ｂによれば、台紙２の表面２ａのラベル３が貼り合わされていない部分は露出部分７となっている。従って、ラベル３を台紙２から剥がし易く、ラベラーなどにおいてラベル３を容易に剥がすことができる。また、台紙２に形成された剥離剤領域５は、台紙２とラベル基材１０の積層方向から見た場合に、ラベル３の内側に位置する。従って、剥離剤領域５はラベル３によって覆われており、ラベル３の周囲に剥離剤領域５が現れていない。よって、ラベル３に印刷が施された場合に、台紙２に付着したインクが吸収されずに台紙２上に留まることを防止或いは抑制できる。ここで、ラベル用紙１Ｂでは、ラベル３の裏面３ａの外周縁部分が、剥離剤を介さずに、直接台紙２に貼り合わされる状態となる。しかし、ラベル３の外周縁部分に塗布されている粘着剤は、濃度が低く、剥がれ易いものなので、この場合でもラベル３を台紙２から剥がすことが容易である。
【００６２】
また、本例のラベル用紙１Ｂの製造方法によれば、図７（ｂ）に示す貼り合わせ工程において、ラベル基材１０の内側粘着剤領域２６を、当該内側粘着剤領域２６よりも大きい台紙２の剥離剤領域５内に位置させ、台紙２の剥離剤領域５を、当該薄利剤領域よりも大きいラベル基材１０の外側粘着剤領域２５の外周輪郭２５ｂ内に位置するようにして台紙２とラベル基材１０を貼り合わせればよいので、粘着剤領域６と剥離剤領域５を一致させて台紙２とラベル基材１０を貼り合わせる場合と比較して、これらの貼り合わせが容易となる。
【００６３】
さらに、図７（ｃ）に示すダイカット工程において、打ち抜き刃１１を外側粘着剤領域２１内に当ててラベル基材１０をダイカットすればよいので、粘着剤領域６の輪郭にラベル３形状の打ち抜き刃１１を一致させてラベル基材１０をダイカットする場合と比較して、ダイカットが容易となる。
【００６４】
ここで、第１粘着剤として、再剥離性を有するものを用いることができる。この場合は、製造されたラベル用紙１Ｂにおいて、ラベル３を台紙２から剥がすことが更に容易となる。
【００６５】
（実施例４）
図８（ａ）は実施例３のラベル用紙１Ｃのラベル３を含む部分の平面図であり、図８（ｂ）は実施例３のラベル用紙１Ｃの断面を模式的に示した説明図である。本例のラベル用紙１Ｃは実施例１のラベル用紙１と対応する構成を備えるので、対応する構成には同一の符号を付して説明する。
【００６６】
図８に示すように、本例のラベル用紙１Ｃでは、台紙２は、その表面２ａに、剥離剤が第１濃度で塗布された枠状の外側剥離剤領域３１と、外側剥離剤領域３１の内側に剥離剤が第１濃度よりも高い濃度で塗布された内側剥離剤領域３２と備える。外側剥離剤領域３１と内側剥離剤領域３２は剥離剤領域５を形成している。外側剥離剤領域３１の外周輪郭３１ａはラベル３と相似形状であってラベル３を包含する形状である。外側剥離剤領域３１は、外周輪郭３１ａがラベル３の外側に位置し、内周輪郭３１ｂがラベル３の内側に位置している。従って、内側剥離剤領域３２はラベル３に覆われている。
【００６７】
ラベル３は、裏面３ａの全体に粘着剤が塗布されている。台紙２の表面２ａのラベル３が貼り合わされていない部分は露出する露出部分７となっている。露出部分７には、外側剥離剤領域３１が部分的にはみ出している。
【００６８】
（ラベル用紙の製造方法）
図９は図８のラベル用紙１Ｃの製造方法の説明図である。ラベル用紙１Ｃを製造する際には、一定幅で延びる長尺状の台紙２と、台紙２と同一の幅寸法を備える長尺状のラベル基材１０を用いる。ラベル用紙１Ｃの製造方法は、実施例１のラベル用紙１の製造方法と同様に、粘着剤・剥離剤領域形成工程、貼り合わせ工程、ダイカット工程、カストリ工程を備える。
【００６９】
粘着剤・剥離剤領域形成工程では、図９（ａ）に示すように、台紙２の表面部分に、ラベル３よりも大きい相似形状の剥離剤領域５を形成する。すなわち、剥離剤領域５として、剥離剤を第１濃度で塗布して、外周輪郭３１ａがラベル３を包含し、内周輪郭３１ｂがラベル３よりも小さい枠状の外側剥離剤領域３１を形成するとともに、外側剥離剤領域３１の内側に剥離剤を第１濃度よりも高い第２濃度で塗布して、内側剥離剤領域３２を形成する。剥離剤領域５は、ラベル３の間隔に対応する間隔で、台紙２の長尺方向に沿って一定間隔に形成される。
【００７０】
ここで、剥離剤領域５の形成は、形成する剥離剤領域５と同一形状の転写面を備える凸版を用いて行うことができる。この場合には、転写面の外周縁部分に第１濃度の剥離剤を枠状に塗布し、その内周側に第２濃度の剥離剤を塗布し、凸版から台紙２に剥離剤を転写する。また、剥離剤領域５の形成は、外側剥離剤領域３１の外周輪郭３１ａと同一の輪郭形状の転写面を備えるとともに、当該転写面に凹凸を設けた第１の凸版と、内側剥離剤領域３２と同一形状の転写面を備える第２の凸版を用いて行うことができる。この場合には、まず、第１の凸版の転写面に剥離剤を塗布し、第１の凸版から台紙２に剥離剤を点で転写して外側剥離剤領域３１の外周輪郭３１ａを備える剥離剤領域５を形成する。次に、第２の凸版の転写面に同一の剥離剤を塗布し、第２の凸版から台紙２に剥離剤を面で転写して内側剥離剤領域３２を形成する。これにより、内側剥離剤領域３２の外周側に当該内側剥離剤領域３２を包囲する状態に外側剥離剤領域３１が形成されるとともに、外側剥離剤領域３１における剥離剤の濃度（第１濃度）が、内側剥離剤領域３２における剥離剤の濃度（第２濃度）よりも低いものとなる。
【００７１】
また、粘着剤・剥離剤領域形成工程では、ラベル３と同一形状の粘着剤領域６を形成する。粘着剤領域６は、完成品のラベル用紙１Ｃのラベル３と同様に、ラベル基材１０の長尺方向に沿って一定間隔に形成される。粘着剤領域６の形成は、ラベル３と同一形状の転写面を備える凸版を用い、凸版に粘着剤領域６を塗布し、凸版から台紙２に粘着剤を転写することにより行われる。
【００７２】
貼り合わせ工程では、図９（ｂ）に示すように、台紙２とラベル基材１０の積層方向から見た場合に、ラベル基材１０の粘着剤領域６が台紙２の剥離剤領域５内に位置するようにして前記台紙２および前記ラベル基材１０を貼り合わせる。
【００７３】
ダイカット工程では、図９（ｃ）に示すように、ラベル基材１０の粘着剤領域６の全体をダイカットしてラベル３を形成する。すなわち、粘着剤領域６の輪郭にラベル３形状の打ち抜き刃１１を一致させて、ラベル基材１０をダイカットする。
【００７４】
カストリ工程では、ラベル基材１０のラベル３を除く部分１０ａを除去して、各ラベル３の外周側に台紙２部分を露出させる。
【００７５】
（作用効果）
本例のラベル用紙１Ｃによれば、台紙２の表面２ａのラベル３が貼り合わされていない部分は露出している。従って、ラベル３を台紙２から剥がし易く、ラベラーなどにおいてラベル３を容易に剥がすことができる。
【００７６】
ここで、本例のラベル用紙１Ｃでは、ラベル３の外周側における台紙２の露出部分７に外側剥離剤領域３１が部分的にはみ出した状態となる。しかし、外側剥離剤領域３１に塗布されている剥離剤は、その濃度が低いので、ラベル３の外周側にはみ出した剥離剤の部分にインクが付着した場合でも、台紙２はインクを吸収可能である。従って、台紙２に付着したインクが吸収されずに台紙２上に留まることを抑制できる。
【００７７】
また、本例のラベル用紙１Ｃの製造方法によれば、図９（ｃ）に示す貼り合わせ工程において、ラベル基材１０の粘着剤領域６を、当該粘着剤領域６よりも大きい台紙２の剥離剤領域５内に位置させるようにして台紙２とラベル基材１０を貼り合わせればよいので、粘着剤領域６と剥離剤領域５を一致させて台紙２とラベル基材１０を貼り合わせる場合と比較して、これらの貼り合わせが容易となる。
【符号の説明】
【００７８】
１・１Ａ・１Ｂ・１Ｃ・・ラベル用紙、２・・台紙、２ａ・・表面、３・・ラベル、３ａ・・裏面、５・・剥離剤領域、６・・粘着剤領域、７・・露出部分、１０・・ラベル基材、１０ａ・・ラベル基材のラベルを除く部分、１１・・打ち抜き刃、２１・・外側粘着剤領域、２１ａ・・外側粘着剤領域の内周輪郭、２１ｂ・・外側粘着剤領域の外周輪郭、２２・・内側粘着剤領域、２５・・外側粘着剤領域、２５ａ・・外側粘着剤領域の内周輪郭、２５ｂ・・外側粘着剤領域の外周輪郭、２６・・内側粘着剤領域、３１・・外側剥離剤領域、３１ａ・・外側剥離剤領域の外周輪郭、３１ｂ・・外側剥離剤領域の内周輪郭、３２・・内側剥離剤領域
【図１】
2015196336.tif 000003
【図２】
2015196336.tif 000004
【図３】
2015196336.tif 000005
【図４】
2015196336.tif 000006
【図５】
2015196336.tif 000007
【図６】
2015196336.tif 000008
【図７】
2015196336.tif 000009
【図８】
2015196336.tif 000010
【図９】
2015196336.tif 000011